(57)【要約】  【課題】  化粧品基剤のなじみの早さや物品の触感を定量的に評価することを可能にする。  【解決手段】  基台１と、化粧品基剤を塗布した人工皮膚などの評価対象を表面に保持するための保持台５との間に、評価対象を擦る際に生じるｘ方向の摩擦力とｚ方向の荷重とを同時に検出するための、荷重により歪を生ずる第１の弾性部材２と摩擦力により歪を生ずる第２の弾性部材４とを設ける。第１の弾性部材２には歪計６ｚを、第２の弾性部材には歪計６ｘを設ける。【選択図】          図８
2005127717.tif 000002
【特許請求の範囲】
【請求項１】
評価対象を表面に保持するための保持台と、
前記評価対象の表面を前記保持台の表面と平行な第１の方向に沿って擦るときに生じる摩擦力と、前記評価対象の表面を擦るときに生じる前記保持台の表面に垂直な第２の方向の荷重とをそれぞれ独立して検出可能な検出手段と、
検出された前記荷重および前記摩擦力を各別に出力する出力手段とを備えたことを特徴とする触感計。
【請求項２】
前記検出手段が、基台上に一端を固定されて、略前記第１の方向に延びる部分を有する第１の弾性部材と、該第１の弾性部材の前記一端から離れた位置に一端を固定され、他端を前記保持台に固定された、略前記第２の方向に延びる部分を有する第２の弾性部材と、前記荷重によって、前記第１の弾性部材の前記略第１の方向に延びる部分であって前記一端と前記一端から離れた位置との間に生じる歪を検出して、該歪に応じた電気信号を出力する第１の歪・電気信号変換器と、前記摩擦力によって、前記第２の弾性部材の前記略第２の方向に延びる部分に生じる歪を検出して、該歪に応じた電気信号を出力する第２の歪・電気信号変換器とを備えたものであり、
前記第１の弾性部材が、前記第２の弾性部材を介して加わる前記荷重により歪を生じ得るものであり、
前記第２の弾性部材が、前記摩擦力により歪を生じ得るものであり、
前記出力手段が、前記第１および第２の歪・電気信号変換器から出力される電気信号の出力手段であることを特徴とする請求項１記載の触感計。
【請求項３】
前記第１および第２の歪・電気信号変換器が、歪計であることを特徴とする請求項２記載の触感計。
【請求項４】
前記第１および第２の弾性部材が、金属製の棒状部材であることを特徴とする請求項２または３記載の触感計。
【請求項５】
前記棒状部材の中間部に肉薄部を設け、該肉薄部に前記歪・電気信号変換器を取り付けたことを特徴とする請求項４記載の触感計。
【請求項６】
前記第１の弾性部材の前記一端から離れた位置と前記第２の弾性部材の前記一端とが、直接的に固定されていることを特徴とする請求項２から５いずれか記載の触感計。
【請求項７】
前記第１の弾性部材の前記一端から離れた位置と前記第２の弾性部材の前記一端とが、略前記第１の方向に延びる部分を有する連結部材を介して固定されていることを特徴とする請求項２から５いずれか記載の触感計。
【請求項８】
前記第１および第２の弾性部材と前記第１および第２の歪・電気信号変換器とからなる組合せを複数備え、
前記複数の組合せが、前記荷重および前記摩擦力が該複数の組合せの各々に分散されるように配置されていることを特徴とする請求項２から７いずれか記載の触感計。
【請求項９】
前記第１の弾性部材の前記荷重による前記第２の方向の可動範囲を制限する第１のストッパーと、前記第２の弾性部材の前記摩擦力による前記第１の方向の可動範囲を制限する第２のストッパーとをさらに備えたことを特徴とする請求項２から８いずれか記載の触感計。
【発明の詳細な説明】
【技術分野】
【０００１】
本発明は、肌に塗布する化粧品基剤のなじみの早さや物品の触感を、定量的に評価するための触感計に関するものである。
【背景技術】
【０００２】
クリーム・乳液等の化粧品を肌に塗布する際の、化粧品基剤が肌になじむ早さや、カーペット・座席シート等の物品を触ったときの感触は、これらの使用感の良し悪しを決める重要な要素であるため、従来、化粧品基剤のなじみの早さや物品の触感に関する種々の評価が行われている。
【０００３】
ここで、化粧品基剤の「なじみの早さ」の評価について考えることにする。
【０００４】
「なじみの早さ」とは、上述の通り、化粧品基剤が肌になじむ早さを意味するものであるが、より詳しく説明すると、使用者が、肌に基剤を塗り込み始めてから、基剤が感じられなくなって指が止まるような感触（指止まり感）を得たことをきっかけに、基剤が肌になじんだと感じて、塗り込みを止めるまでの時間の長さを基準とした、化粧品基剤の特性を表す指標の一つである。
【０００５】
化粧品基剤は、その用途によって、要求されるなじみの早さが異なり、例えば、マッサージ用のクリームの場合は、基剤の延びが長時間持続した方がよいため、なじみは遅い方が望ましく、一方、薬剤入りの化粧品製剤の場合は、基剤の肌への吸収感を高めた方がよいため、なじみは早い方が望ましい。このようなことから、化粧品基剤の用途に応じて、適したなじみの早さを実現すべく、化粧品基剤のなじみの早さの評価が行われている。
【０００６】
なじみの早さの評価方法としては、一般的に、試験者が評価対象である化粧品基剤を実際に肌に使用して、そのなじみの早さを人が評価する官能評価が用いられている。
【０００７】
しかしながら、上記の人が評価する方法では、試験者が有する主観的な感覚が基準となるため、評価に対する客観性や再現性が悪く、評価結果にバラツキが生じるという問題がある。この問題を解消するためには、なじみの早さを定量的に評価する必要がある。
【発明の開示】
【発明が解決しようとする課題】
【０００８】
上述のように、人は、化粧品基剤を塗布する際に、指止まり感を得たとき、すなわち、基剤を塗布する手や指と肌との摩擦力が徐々に増え、所定の閾値を超えたときに、基剤が肌になじんだと感じて、基剤の塗布を止める動きをする。
【０００９】
従って、なじみの早さを定量的に評価する方法として、なじみの早さと、所定の条件で基剤を塗布するときに生じる摩擦力の時間的変化とを対応付けて評価する方法が考えられるが、実際には、上記摩擦力の変化のみをもってなじみの早さを評価することは難しい。
【００１０】
図２は、本出願人が実施した実験の結果の一例であり、なじみの早さが既知である複数の乳液サンプルに対し、模擬的な塗布行為を行ったときの摩擦力の時間的変化を表したものである。
【００１１】
なお、摩擦力の測定には表面性測定機を用い、その測定方法は、図１に示すように、テーブル８１に固定した人工皮膚８２上に乳液サンプル８３を載せ、その上から応力感知器８５が取り付けられた重り８４を載せて一定の荷重Ｆｇを掛けながら、テーブル８１を一定の速度で往復運動させ、応力感知器８５が感知する応力の絶対値を摩擦力として検出した。摩擦力は、１００Ｈｚ程度でサンプリングし、１秒または１０秒毎にサンプリングしたデータの最大値を採るようにした。上記人工皮膚８２には、実際の皮膚と同様に表面に親水性と疎水性とを併せ持ち、表面形状が皮膚の凹凸に類似しているサプラーレ（プロテインパウダー分散ポリウレタン）を使用した。
【００１２】
図２（１）は、荷重＝２０ｇｆ，往復運動速度＝５０ｍｍ／ｓとしたときの測定結果、図２（２）は、荷重＝３００ｇｆ，往復運動速度＝１０ｍｍ／ｓとしたときの測定結果をそれぞれ表すものであり、各乳液サンプルのなじみの早さは、Ｓ６（遅い）＜Ｓ１５，Ｓ１１＜Ｓ１８，Ｓ８（早い）という関係がある（Ｓはサンプルの略字を意味する）。
【００１３】
図２（１），（２）のいずれにおいても、なじみの早さの順番と摩擦力の大きさの順番とが対応せず、測定条件の異なる図２（１）と（２）で、摩擦力の大きさが逆転するものもあり（例えばＳ６とＳ１８）、なじみの早さと摩擦力との間には相関が見られないことが判明した。また、摩擦力の時間的変化の曲線形状にも相関は見られない。
【００１４】
なお、このような状況は、化粧品基剤がなじむ感覚を得る際の手や指の動作と類似した動作を必要とする、物品の触感の評価においても、同様であると考えることができ、従って、現状では、化粧品基剤のなじみの早さや物品の触感を定量的に評価することは困難である。
【００１５】
本発明は、上記事情に鑑み、化粧品基剤のなじみの早さや物品の触感を定量的に評価することが可能な触感計を提供することを目的とするものである。
【課題を解決するための手段】
【００１６】
本出願人は、人がクリーム・乳液等の化粧品を肌に塗布して、化粧品がなじむ様子を感じるときや、人が物品を擦って、物品の触感を得ようとするときの挙動は、指等で肌や物品に対して荷重（鉛直方向の押圧力）を掛けながら、そのときに生じる摩擦力を感じ取る動きであると考え、自らが実施した実験の結果から、この挙動に起因して発生する物理量、すなわち、肌や物品に対する荷重と摩擦力とを同時に測定し、これら物理量の大きさや時間的変化を見ることで、「なじみの早さ」や物品の触感の定量的な評価が可能であることを見出した。
【００１７】
以下、その内容について説明する。
【００１８】
図４は、本出願人が実施した実験結果の一例であり、高分子乳化クリームとノニオン活性剤クリームの２つの異なるクリームサンプルに対し、指を使った模擬的な塗布行為を行ったときの摩擦力と荷重の時間的変化を表したものである。
【００１９】
なお、本実験は、図３に示すように人工皮膚８２上にサンプル８３を載せてその上から指で擦って一方向ｄに沿って往復運動を行う模擬的な塗布行為（以下、指による模擬的塗布行為という）を行ったときの摩擦力Ｆｘと荷重Ｆｚの時間的変化を測定するものである。
【００２０】
図４を見ると、上記２つのクリーム間において、摩擦力の時間的変化については、類似性が見られるのに対し、荷重の時間的変化については、類似性が見られない。すなわち、摩擦力の時間的変化は、いずれのクリームにおいても、所定時間後、急な上昇の後に下降する変化曲線を描いているが、荷重の時間的変化は、高分子乳化クリームでは、摩擦力と同様の起伏を有する変化曲線を描くのに対し、ノニオン活性剤クリームでは、徐々に下降する変化曲線を描いている。すなわち、人は、化粧品基剤を塗布する際に、その基剤の種類によって荷重のかけ方を変えていることが分かる。
【００２１】
従って、化粧品基剤のなじみの早さや物品の触感を定量的に評価するには、摩擦力だけでなく、荷重も考慮しなければならないことが推測される。
【００２２】
図５，図６は、本出願人が実施した実験結果の一例であり、なじみの早さが既知である複数の化粧品基剤サンプルに対し、指による模擬的塗布行為を行ったときの荷重と摩擦力の時間的変化をそれぞれ表したものである。
【００２３】
なお、なじみの早さの順番は、Ｓ１４（遅い）＜Ｓ１１＜Ｓ１３（早い）であり、Ｓ１１を基準品、Ｓ１４をなじみの遅いサンプル、Ｓ１３をなじみの早いサンプルとして考えることにする。
【００２４】
これらの図を見ると、荷重および摩擦力の時間的変化の傾きの勾配は、なじみの早さが早くなるにつれて急になり、特になじみが早いサンプルでは、後半部分で急激に上昇する傾向が見られる。また、実験は２回繰り返して行ったが、測定１回目と２回目で時間変化に大きな差異が見られず、再現性があることも認められる。
【００２５】
この実験結果から、化粧品等を塗布する際や、物品を擦る際に生じる摩擦力と荷重とを同時に測定し、その時間変化（例えば、傾きの勾配）を見ることによって、なじみの早さや物品の触感の定量的な評価が可能であることが見出された。
【００２６】
そこで、本発明は、化粧品基剤のなじみの早さや物品の触感を定量的に評価することを可能にする、評価対象を擦ることによって生じる物理量、すなわち、人が評価対象に対して加える荷重と、評価対象の表面に沿った摩擦力とを同時に計測し得る触感計を提供することを目的とするものである。
【００２７】
本発明の触感計は、評価対象を表面に保持するための保持台と、評価対象の表面を保持台の表面と平行な第１の方向に沿って擦るときに生じる摩擦力と、評価対象の表面を擦るときに生じる保持台の表面に垂直な第２の方向の荷重とをそれぞれ独立して検出可能な検出手段と、検出された荷重および摩擦力を各別に出力する出力手段とを備えたことを特徴とするものである。
【００２８】
評価対象としては、例えば、なじみの早さを評価する場合における、クリーム・乳液等の化粧品基剤が塗られた人工皮膚や、表面の触感を評価する場合における、カーペット・座席シートの表皮などが考えられるが、これらに限定されるものではなく、手や指で擦ることにより評価が可能なものであれば、いかなるものであってもよい。
【００２９】
本発明の触感計において、検出手段は、基台上に一端を固定されて、略第１の方向に延びる部分を有する第１の弾性部材と、第１の弾性部材の上記一端から離れた位置に一端を固定され、他端を保持台に固定された、略第２の方向に延びる部分を有する第２の弾性部材と、上記荷重によって、第１の弾性部材の略第１の方向に延びる部分であって上記一端と上記一端から離れた位置との間に生じる歪を検出して、当該歪に応じた電気信号を出力する第１の歪・電気信号変換器と、上記摩擦力によって、第２の弾性部材の略第２の方向に延びる部分に生じる歪を検出して、当該歪に応じた電気信号を出力する第２の歪・電気信号変換器とを備えたものであり、第１の弾性部材は、第２の弾性部材を介して加わる上記荷重により歪を生じ得るものであり、第２の弾性部材は、上記摩擦力により歪を生じ得るものであり、出力手段は、第１および第２の歪・電気信号変換器から出力される電気信号の出力手段であることとすることができる。
【００３０】
この場合、第１および第２の歪・電気信号変換器は、歪計であってもよい。歪計としては、例えば、歪に応じて電気抵抗が変化する電気抵抗線式のものが考えられるが、その他、機械的、光学的、電気容量式、磁歪式のものであってもよい。
【００３１】
また、第１および第２の弾性部材は、金属製の棒状部材であってもよい。金属製の棒状部材としては、例えば、アルミニウムや鉄等が考えられる。
【００３２】
この場合、上記棒状部材の中間部に肉薄部を設け、当該肉薄部に上記歪・電気信号変換器を取り付けるようにしてもよい。
【００３３】
なお、第１の弾性部材の上記一端から離れた位置と第２の弾性部材の上記一端とは、直接的に固定されていてもよいし、略第１の方向に延びる部分を有する連結部材を介して固定されていてもよい。
【００３４】
「直接的に固定されて」とは、連結部材等を介さずに固定された状態を意味し、１つの部材に第１の弾性部材と第２の弾性部材とが含まれる、いわゆる削りだしによって得られるような状態であってもよいし、第１の弾性部材と第２の弾性部材とをネジ、ボルト・ナット、接着剤等で固定された状態であってもよい。
【００３５】
「連結部材」は、第２の弾性部材を第１の方向にずらして固定するものであり、例えば、第２の弾性部材が、第１の弾性部材の第１の方向に延びる部分の略中間に配置されるような長さと形状を有するものとしてもよい。
【００３６】
本発明の触感計において、第１および第２の弾性部材と第１および第２の歪・電気信号変換器とからなる組合せを複数備え、この複数の組合せが、上記荷重および摩擦力が当該複数の組合せの各々に分散されるように配置されていてもよい。
【００３７】
例えば、上記組合せが第１の方向を軸に保持台に対して左右対称となるように配置されてなるものを考えることができ、具体的には、２つの上記組合せを保持台の第１の方向の略中間に配置されてなるもの、あるいは４つの上記組合せを保持台に対して上下左右対称となるように配置されてなるもの等がある。
【００３８】
また、本発明の触感計において、第１の弾性部材の上記荷重による第２の方向の可動範囲を制限する第１のストッパーと、第２の弾性部材の上記摩擦力による第１の方向の可動範囲を制限する第２のストッパーとをさらに備えるようにしてもよい。
【００３９】
なお、本発明の触感計は、少なくとも、人がクリーム・乳液等の化粧品を肌に塗布するときの肌に対する荷重や摩擦力のような微小な力を検出する能力を必要とするが、検出範囲がこのような微小な力に限定されるわけではない。
【発明の効果】
【００４０】
本発明の触感計は、評価対象を表面に保持するための保持台と、評価対象の表面を保持台の表面と平行な第１の方向に沿って擦るときに生じる摩擦力と、評価対象の表面を擦るときに生じる保持台の表面に垂直な第２の方向の荷重とをそれぞれ独立して検出可能な検出手段と、検出された荷重および摩擦力を各別に出力する出力手段とを備えているので、化粧品基剤のなじみの早さや物品の触感と相関のある、評価対象を擦る際に生じる荷重と摩擦力とを、保持台を介して同時に測定することができ、測定した荷重および摩擦力に基づいて、化粧品基剤のなじみの早さや物品の触感を、定量的に評価することが可能となる。
【発明を実施するための最良の形態】
【００４１】
以下、本発明の実施の形態を図面に基づいて説明する。
【００４２】
図７は、本発明における触感計の一実施形態における構成を示す図である。図７に示す触感計は、評価対象を表面に保持するための保持台と、評価対象の表面を保持台の表面と平行な第１の方向に沿って擦るときに生じる摩擦力と、評価対象の表面を擦るときに生じる保持台の表面に垂直な第２の方向の荷重とをそれぞれ独立して検出可能な検出手段とを備えた触感計測台１０と、検出された荷重および摩擦力を各別に出力する出力手段である動歪アンプＢＯＸ２０とからなる。
【００４３】
図８は、上記触感計測台１０の具体的な構造を示す図であり、（１）はその正面図、（２）はその側面図、（３）はその上面図を表している。なお、本実施形態においては、上記第１の方向をｘ軸、上記第２の方向をｚ軸、ｘ軸とｚ軸に垂直な方向をｙ軸とする。
【００４４】
図８に示す触感計測台１０は、基台１上に一端を固定されて、略第１の方向（ｘ軸）に延びる部分を有する第１の弾性部材２と、第１の弾性部材２の上記一端から離れた位置に一端を固定され、他端を保持台５に固定された、略第２の方向（ｚ軸）に延びる部分を有する第２の弾性部材４と、上記荷重によって、第１の弾性部材２の略第１の方向（ｘ軸）に延びる部分であって上記一端と上記一端から離れた位置との間に生じる歪を検出して、当該歪に応じた電気信号を出力する第１の歪・電気信号変換器としての歪計６ｚと、上記摩擦力によって、第２の弾性部材の略第２の方向（ｚ軸）に延びる部分に生じる歪を検出して、当該歪に応じた電気信号を出力する第２の歪・電気信号変換器としての歪計６ｘとを備えたものである。ここで、第１の弾性部材２は、第２の弾性部材４を介して加わる上記荷重により歪を生じ得るものであり、第２の弾性部材は、上記摩擦力により歪を生じ得るものである。
【００４５】
保持台５は、評価対象を保持するための不図示の固定手段を有しており、例えば、評価対象の端部を上から抑え付けるための板と、当該板を保持台５に締め付けるためのボルトとから構成される固定手段がある。
【００４６】
第１の弾性部材２と第２の弾性部材４は、金属製の棒状部材であり、その中間部に肉薄部を設けるための貫通孔ａを有し、当該肉薄部に上記歪計６ｘ，６ｚが貼り付けられている。貫通孔ａは、棒状部材の剛性を低くし、歪みやすくするためのものである。歪計６ｘ，６ｚは、電気抵抗線式のものであり、歪に応じて電気抵抗が変化するタイプのものである。
【００４７】
また、第１の弾性部材２の上記一端から離れた位置と第２の弾性部材４の上記一端とは、略第１の方向に延びる部分を有する連結部材３を介して固定されている。第１の弾性部材２と第２の弾性部材４とを直接的に接続する場合、弾性部材を長くしてより高感度な力の検出を試みると、触感計測台そのものが大型化してしまうが、上記のような連結部材を介して固定することにより、第１の弾性部材２による荷重の高感度検出と、省スペース化を共に実現することができる。
【００４８】
本触感計測台１０は、第１および第２の弾性部材２，４とこれら弾性部材に貼り付けられた歪計６ｚ，６ｘからなる組合せを２つ備えており、これらの組合せは、上記荷重および摩擦力が各組合せに分散されるよう、第１の方向（ｘ軸）を軸に保持台５に対して左右対称となるように、保持台５の第１の方向（ｘ軸）の略中間に配置されている。
【００４９】
また、本触感計測台１０は、第１の弾性部材２の上記荷重による第２の方向（ｚ軸）の可動範囲を制限する第１のストッパー７ｚと、第２の弾性部材４の上記摩擦力による第１の方向（ｘ軸）の可動範囲を制限するための第２のストッパー７ｘとを備えており、保持台５に許容範囲を超えた外力が加わって、第１および第２の弾性部材２，４に過剰な応力が加えられるのを防いでいる。
【００５０】
動歪アンプＢＯＸ２０は、触感計測台１０が備えている各歪計６ｘ，６ｚの電気抵抗を読み取り、上記荷重と摩擦力に比例した電圧信号に変換・増幅して出力するものであり、例えば、ホイートストーンブリッジ回路を用いて、歪計の微小な電気抵抗の変化を一旦電流の変化に変換し、これをさらに電圧の変化に変換して読み取るものが考えられる。
【００５１】
次に、上記のように構成された触感計の作用について説明する。
【００５２】
触感計測台１０の保持台５に、化粧品基剤が塗られた人工皮膚等の評価対象を固定し、人間がその評価対象をｘ軸方向に指等で擦ると、保持台５には擦る向きの斜め下方に外力が加わる。この外力のｘ軸方向の分力が、第２の弾性部材の保持台５に固定された側の端部に加わり、第２の弾性部材４のｚ軸方向に延びた部分に歪が生じ、その歪に応じて歪計６ｚの電気抵抗が変化する。一方、その外力のｚ軸方向の分力が、第２の弾性部材４、連結部材３を介して、第１の弾性部材２の遊端部に加わり、第１の弾性部材２のｘ軸方向に延びた部分に歪が生じ、その歪に応じて歪計６ｘの電気抵抗が変化する。
【００５３】
動歪アンプＢＯＸ２０は、歪計６ｘの電気抵抗の変化を読み取り、この変化に基づいて上記摩擦力に対応するｘ軸方向の分力に比例した電圧信号を生成する一方、歪計６ｚの電気抵抗の変化を読み取り、この変化に基づいて上記荷重に対応するｚ軸方向の分力に比例した電圧信号を生成し、これらの電圧信号を増幅して各別に出力する。この電圧信号は、電圧計等に出力してメータ等の画面に電圧値、あるいはｇｆ等の力の単位に変換した値を表示するようにしてもよいし、プロッタ等に出力して、その時間的変化を記録するようにしてもよいし、あるいは、Ａ／Ｄ変換器を備えたコンピュータに出力して、デジタルデータとして収録し、上記荷重および摩擦力の時間変化を表すグラフの作成やデータ解析等を行うようにしてもよい。
【００５４】
このように、本発明における触感計は、評価対象を表面に保持するための保持台と、評価対象の表面を保持台の表面と平行な第１の方向に沿って擦るときに生じる摩擦力と、評価対象の表面を擦るときに生じる保持台の表面に垂直な第２の方向の荷重とをそれぞれ独立して検出可能な検出手段と、検出された荷重および摩擦力を各別に出力する出力手段とを備えているので、化粧品基剤のなじみの早さや物品の触感と相関のある、評価対象を擦る際に生じる荷重と摩擦力とを、保持台を介して同時に測定することができ、測定した荷重および摩擦力に基づいて、化粧品基剤のなじみの早さや物品の触感を、定量的に評価することが可能となる。
【００５５】
なお、触感計測台１０は、上記実施形態の他、図９や図１０に示すような構造を考えることもできる。
【００５６】
図９および図１０に示す触感計測台は、上記実施形態と同様に、基台１上に一端を固定されて、略第１の方向（ｘ軸）に延びる部分を有する第１の弾性部材２と、第１の弾性部材２の上記一端から離れた位置に一端を固定され、他端を保持台５に固定された、略第２の方向（ｚ軸）に延びる部分を有する第２の弾性部材４と、上記荷重によって、第１の弾性部材２の略第１の方向（ｘ軸）に延びる部分であって上記一端と上記一端から離れた位置との間に生じる歪を検出して、当該歪に応じた電気信号を出力する第１の歪・電気信号変換器としての歪計６ｚと、上記摩擦力によって、第２の弾性部材の略第２の方向（ｚ軸）に延びる部分に生じる歪を検出して、当該歪に応じた電気信号を出力する第２の歪・電気信号変換器としての歪計６ｘとを備えたものであるが、図９に示す触感計測台は、第１の弾性部材２と第２の弾性部材４とを直接的に固定したものであり、連結部材３を使用していない。また、図１０に示す触感計測台は、第１および第２の弾性部材２，４と歪計６ｘ，６ｚからなる組合せを４つ備えたものであり、上記荷重および摩擦力が各組合せに分散されるよう、各組合せを保持台５に対して上下左右対称となるように配置されている。
【００５７】
なお、本実施形態では、触感計は触感計測台１０と動歪アンプＢＯＸとに分けられているが、もちろん、このような構成に限定されるものではなく、触感計測台１０と動歪アンプＢＯＸ２０とを含む一体型のものであってもよい。
【図面の簡単な説明】
【００５８】
【図１】乳液サンプルに対し模擬的な塗布行為を行ったときの摩擦力の測定方法を示す図
【図２】乳液サンプルに対し模擬的な塗布行為を行ったときの摩擦力の時間的変化を示す図
【図３】クリームに対し指による模擬的塗布行為を行うときの様子を示す図
【図４】クリームに対し指による模擬的塗布行為を行ったときの荷重と摩擦力の時間的変化を示す図
【図５】化粧品基剤サンプルに対し指による模擬的塗布行為を行ったときの荷重の時間的変化を示す図
【図６】化粧品基剤サンプルに対し指による模擬的塗布行為を行ったときの摩擦力の時間的変化を示す図
【図７】本発明における触感計の一実施形態における構成を示す図
【図８】触感計測台の具体的な構造を示す図
【図９】触感計測台のその他の実施例（その１）を示す図
【図１０】触感計測台のその他の実施例（その２）を示す図
【符号の説明】
【００５９】
１  基台
２  第１の弾性部材
３  連結部材
４  第２の弾性部材
５  保持台
６  歪計
７  ストッパー
１０  触感計測台
２０  動歪アンプＢＯＸ
８１  テーブル
８２  人工皮膚
８３  サンプル
８４  重り
８５  応力感知器
９１  指
【図１】
2005127717.tif 000003
【図２】
2005127717.tif 000004
【図３】
2005127717.tif 000005
【図４】
2005127717.tif 000006
【図５】
2005127717.tif 000007
【図６】
2005127717.tif 000008
【図７】
2005127717.tif 000009
【図８】
2005127717.tif 000010
【図９】
2005127717.tif 000011
【図１０】
2005127717.tif 000012